(57)【要約】【課題】ブラケットから笠木が外れてもパラペットからの笠木の脱落を防止する。【解決手段】パラペット１に固定するブラケット１０に複数の笠木３を連続させて装着する。パラペット１を覆う笠木３は、その隣接端部において各笠木３に外装するカバー部材２０によって一体的に固定される。これにより、地震あるいは台風などによって一部の笠木３がブラケット１０から外れることがあっても、その笠木３がブラケット１０に固定された笠木３と連結されているから、パラペット１からの笠木の脱落を防止できる。【選択図】      図１
2004263436.tif 000002
【特許請求の範囲】
【請求項１】
パラペットの天端部にブラケットを所定間隔をおいて取り付け、このブラケットに複数の笠木を嵌着して前記天端部に長さ方向に沿って前記笠木を連続させて固定するパラペット用笠木において、隣接する各笠木を連結する固定部材を設けたことを特徴とするパラペット用笠木。
【請求項２】
前記固定部材が隣接する各笠木に跨るように外装したカバー部材からなることを特徴とする請求項１記載のパラペット用笠木。
【請求項３】
前記固定部材が各笠木の隣接部に位置して笠木に固定される連結プレートからなり、この連結プレートに前記各笠木の変動を吸収するばね性を有する可動部を設けたことを特徴とする請求項１記載のパラペット用笠木。
【請求項４】
前記固定部材が各笠木に連続的に架け渡したワイヤから成り、前記笠木には前記ワイヤを挿通する案内溝を設けたことを特徴とする請求項１記載のパラペット用笠木。
【発明の詳細な説明】
【０００１】
【発明の属する技術分野】
本発明は、建物の躯体屋上に設けられたパラペットの頂部に取り付けられる笠木の取付構造に関するもので、特にパラペットからの笠木の脱落を防止するパラペット用笠木に関するものである。
【０００２】
【従来の技術】
一般にパラペットの天端部を覆う笠木の取付構造として特許文献１に示すように、パラペットの天端部に所定間隔毎に固定するブラケットを固定し、このブラケットの上方側から被せるようにして外装して笠木を固定する構造が一般的である。すなわち、笠木の垂直壁を外側に開くようにして弾性変形させた後、笠木の垂直壁を弾性復帰させることによって、笠木の垂直壁の先端に形成するフランジ部をブラケット両端部に係止する。この時、ブラケットに形成する受けリブが笠木の内面に突き当たり、ブラケットに笠木が固定される。なお、笠木は所定長さに形成され、複数の笠木をパラペットの天端部に連続的に被せてパラペットの天端部を全体的に覆うようにしている。
【０００３】
【特許文献１】
特開平１１−８１５８６号
【０００４】
【発明が解決しようとする課題】
上記特許文献１に示す笠木は、単に笠木の垂直壁をブラケットの両端に係止してブラケットに固定しているにすぎず、地震などでパラペットが傾いたり台風などの強風によって笠木が変形した場合、笠木の垂直壁の先端に形成するフランジ部がブラケットから外れる虞れがある。このようにブラケットから笠木が外れた場合、笠木に他の固定手段が無いから、パラペットから笠木が脱落する危険があった。
【０００５】
本発明は、このような問題点を解決しようとするもので、仮にブラケットから笠木が外れたとしてもパラペットからの笠木の脱落を防止することができる笠木の取付構造を提供することを目的とする。
【０００６】
【課題を解決するための手段】
請求項１に係るパラペット用笠木は、パラペットの天端部にブラケットを所定間隔をおいて取り付け、このブラケットに複数の笠木を嵌着して前記天端部に長さ方向に沿って前記笠木を連続させて固定するパラペット用笠木において、隣接する各笠木を連結する固定部材を設けたものである。
【０００７】
これにより、地震や台風などによってパラペットの変動あるいは笠木の変形などが生じ、仮に一部の笠木がブラケットから外れたとしも、残った笠木にうち、ブラケットと係合した笠木とブラケットから外れた笠木とが連結されているから、笠木がパラペットから脱落することはない。
【０００８】
請求項２に係るパラペット用笠木は、前記固定部材が隣接する各笠木に跨るように外装したカバー部材からなるものである。
【０００９】
これにより、隣接する笠木がカバー部材によって一体的に連結され、地震や台風などによってパラペットの変動あるいは笠木の変形などが生じて一部の笠木がブラケットから外れたとしも笠木がパラペットから脱落することはない。
【００１０】
請求項３に係るパラペット用笠木は、前記固定部材が各笠木の隣接部に位置して笠木に固定される連結プレートからなり、この連結プレートに前記各笠木の変動を吸収するばね性を有する可動部を設けたものである。
【００１１】
これにより、隣接する笠木が連結プレートによって一体的に連結され、地震や台風などによってパラペットの変動あるいは笠木の変形などが生じて一部の笠木がブラケットから外れたとしも笠木がパラペットから脱落することはない。さらに、連結プレートに形成する可動部により、寒暖の差などの外気温の影響で笠木が伸縮した際、可動部で吸収することができる。
【００１２】
請求項４に係るパラペット用笠木は、前記固定部材が各笠木に連続的に架け渡したワイヤから成り、前記笠木には前記ワイヤを挿通する案内溝を設けたものである。
【００１３】
これにより、隣接する笠木がワイヤによって一体的に連結され、地震や台風などによってパラペットの変動あるいは笠木の変形などが生じて一部の笠木がブラケットから外れたとしも笠木がパラペットから脱落することはない。さらに、組付作業時において、各笠木をワイヤで連結したとしてもワイヤが撓んで笠木をフレキシブルに動かすことが可能であるから、組付作業時において、各笠木をワイヤで連結することによる不都合が生じない。
【００１４】
【発明の実施の形態】
以下、本発明のパラペット用笠木を添付図面を参照して説明する。図１及び図２は、本発明の第１実施例を示し、同図において、パラペット１の天端部２に装着される笠木３は、アルミニウムを押出成形して水平部４とこの水平部４の両側から垂設する一対の垂壁部５を有して断面コ字型に成型されている。また、前記垂壁部５の下端側にＬ型のフランジ部６を内側に向かって形成し、そのフランジ部６の先端にブラケット１０に引っ掛けて笠木３を固定する肉厚の係止爪７を一体形成している。
【００１５】
前記ブラケット１０は笠木３と同様、アルミニウムの押出成形品であり、前記パラペット１の天端部２に固定される天板部１１と、この天板部１１の両端縁から垂設した一対の側板部１２とを有している。また、前記天板部１１には前記笠木３前記笠木３の内面に接触する一対の受けリブ１５，１５を突設している。
【００１６】
２０は固定部材としてのカバー部材であり、隣接する各笠木３に跨るように外装して各笠木３を相互に連結するものである。このカバー部材２０は前記笠木３と外形寸法は大きいが形状的には実質同一である。すなわち、笠木３と同様、水平部２１の両側から一対の垂直壁２２を垂設して断面コ字型に成型されている。また、垂直壁２２の下端にフランジ部２３を折曲し、そのフランジ部２３の先端に係止突起２４を形成している。そして、カバー部材２０の垂直壁２２と隣接する笠木３の垂壁部５とをねじ２５によって一体的に固定している。
【００１７】
以上のように構成される本実施例の作用・効果について説明する。まず、ブラケット１０をアンカーボルト２６によってパラペット１の天端部２に固定した後、笠木３をブラケット１０に被せるようにして外装する。このとき、笠木３の垂壁部５を外側に開くようにして弾性変形させた後、笠木３の垂壁部５を弾性復帰させることによって垂壁部５の下端に形成するフランジ部６をブラケット１０の側板部１２の先端側に引っ掛けて、フランジ部６の先端に形成する係止爪７によってブラケット１０に笠木３を係止する。これにより、ブラケット１０の受けリブ１５の先端側を笠木３の内面に突き当てた状態でブラケット１０に笠木３を固定する。この後、同様な手順で笠木３をブラケット１０に装着して複数の笠木３によってパラペット１を全体的に覆う。こうして、パラペット１に複数の笠木３を覆った後、隣接する笠木３の隣接端部にカバー部材２０を被せるように外装する。すなわち、カバー部材２０の垂直壁２２を外側に開くようにして弾性変形させた後、笠木３の垂直壁２２を弾性復帰させることによって垂直壁２２の下端に形成するフランジ部２３で笠木３のフランジ部６を覆うとともにフランジ部２３に形成する係止突起２４によって笠木３にカバー部材２０を係止する。この後、カバー部材２０の垂直壁２２と隣接する各笠木３の垂壁部５とをねじ２５によって固定することにより、隣接する各笠木３を相互に連結固定している。
【００１８】
このように、本実施例においては、ブラケット１０に固定した複数の笠木３を、その隣接端部に跨るように外装したカバー部材２０によって相互に一体化することにより、地震や台風などによってパラペット１の変動あるいは笠木３の変形などが生じ、笠木３の垂壁部５に形成するフランジ部６がブラケット１０の側板部１２から外れたとして、パラペット１から笠木３が脱落することはない。すなわち、パラペット１は複数の笠木３によって被覆され、地震あるいは台風などによって一部の笠木３がブラケット１０から外れることがあっても、複数の笠木３の全てが一斉にブラケット１０から外れることはない。したがって、仮に一部の笠木３がブラケット１０から外れたとしも外れた笠木３以外はブラケット１０との係合状態が保たれているから、その固定状態の笠木３と外れた笠木３とがカバー部材２０によって連結されているから、ブラケット１０から外れた笠木３がパラペット１から脱落することはない。
【００１９】
図３は本発明の第２実施例を示しており、前記第１実施例と同一機能を有する部分には同一符号を付し、重複する部分の説明を省略し、異なる部分についてのみ説明する。本実施例では、固定部材として連結プレート３０を用いる。この連結プレート３０は、隣接する各笠木３の垂壁部５に固定する一対の平板部３１，３１と、この平板部３１，３１を連結するばね性を備えた可動部３２とから成る。そして、隣接する笠木３の垂壁部５にそれぞれ連結プレート３０の平板部３１，３１を重ねてねじ３５により各笠木３の垂壁部５に固定している。
【００２０】
したがって、本実施例においては、前記第１実施例と同様、連結プレート３０により隣接する笠木３を相互に固定することにより、パラペット１を被覆する複数の笠木３が一体化され、地震あるいは台風などによって一部の笠木３がブラケット１０から外れることがあっても、パラペット１からの笠木３の脱落を防止することができる。さらに、本実施例では隣接する各笠木３を固定する連結プレート３０にばね性を備えた可動部３２を形成することにより、寒暖の差などの外気温の影響で笠木３が伸縮して隣接する笠木３の間隔が変動しても、笠木３が伸縮を可動部３２で吸収することができる。
【００２１】
図４及び図５は本発明の第三実施例を示しており、前記第１実施例と同一機能を有する部分には同一符号を付し、重複する部分の説明を省略し、異なる部分についてのみ説明する。本実施例では、固定部材をワイヤ４０で構成し、笠木３の垂壁部５の内面にはワイヤ４０を挿通する案内溝４１を笠木３の長さ方向に沿って一体形成している。
【００２２】
以上のように構成される本実施例では、予めパラペット１に固定する案内溝４１に通して一体的に連結している。そして、パラペット１に固定したブラケット１０に複数の笠木３を被せて複数の笠木３によってパラペット１を全体的に覆う。したがって、本実施例においては、垂壁部５の内面に形成する案内溝４１にワイヤ４０を挿通してパラペット１を覆う複数の笠木３を相互に連結することにより、地震や台風などによって地震あるいは台風などによって一部の笠木３がブラケット１０から外れることがあっても、笠木３がパラペット１から脱落することはない。また、本実施例においては、予めワイヤ４０によってパラペット１に固定する複数の笠木３を連結しているが、ワイヤ４０は可撓性を有しているから、笠木３の取付時にワイヤ４０が撓んでフレキシブルに動かすことが可能であるから、組付作業時において、各笠木３を連結することによる不都合も生じない。
【００２３】
以上、本発明の実施例について詳述したが、本発明は前記各実施例に限定されるものではなく、本発明の要旨の範囲内で種々の変形実施が可能である。例えば、ワイヤ４０によって連結する第３実施例において、ワイヤ４０を挿通する案内溝４１は笠木３の外面側に形成し、ワイヤ４０を外付けする構造でもよい。また、笠木やこれを固定するブラケットなどの基本的構造も前記各実施例に限定されるものではなく、適宜選定すればよい。
【００２４】
【発明の効果】
請求項１に係るパラペット用笠木によれば、パラペットの天端部にブラケットを所定間隔をおいて取り付け、このブラケットに複数の笠木を嵌着して前記天端部に長さ方向に沿って前記笠木を連続させて固定するパラペット用笠木において、隣接する各笠木を連結する固定部材を設けたものであるから、地震や台風などによってパラペットの変動あるいは笠木の変形などが生じ、仮に一部の笠木がブラケットから外れたとしも、笠木がパラペットから脱落することはない。
【００２５】
請求項２に係るパラペット用笠木によれば、前記固定部材が隣接する各笠木に跨るように外装したカバー部材からなるものであるから、カバー部材によってパラペットからの笠木の脱落を防止することができる。
【００２６】
請求項３に係るパラペット用笠木によれば、前記固定部材が各笠木の隣接部に位置して笠木に固定される連結プレートからなり、この連結プレートに前記各笠木の変動を吸収するばね性を有する可動部を設けたものであるから、連結プレートにより、パラペットからの笠木の脱落を防止することができるとともに、連結プレートの可動部により、寒暖の差などの外気温の影響で笠木が伸縮した際、可動部で吸収することができる。
【００２７】
請求項４に係るパラペット用笠木によれば、前記固定部材が各笠木に連続的に架け渡したワイヤから成り、前記笠木には前記ワイヤを挿通する案内溝を設けたものであるから、ワイヤにより、パラペットからの笠木の脱落を防止することができるとともに、各笠木をワイヤで連結した状態でもワイヤが撓んで笠木をフレキシブルに動かすことが可能であるから、組付作業時において、各笠木をワイヤで連結することによる不都合が生じない。
【図面の簡単な説明】
【図１】本発明の第１実施例を示す一部を切り欠いた斜視図である。
【図２】同上笠木の断面図である。
【図３】本発明の第２実施例を示す斜視図である。
【図４】本発明の第３実施例を示す斜視図である。
【図５】同上笠木の断面図である。
【符号の説明】
１  パラペット
２  天端部
３  笠木
２０  カバー部材（固定部材）
３０  連結プレート（固定部材）
３２  可動部
４０  ワイヤ（固定部材）
４１  案内溝
【図１】
2004263436.tif 000003
【図２】
2004263436.tif 000004
【図３】
2004263436.tif 000005
【図４】
2004263436.tif 000006
【図５】
2004263436.tif 000007